(57)【要約】【課題】複数の入力信号から、切替信号に応じた信号を選択して出力する選択回路において、グリッヂノイズを発生させることなく、信号切替を行う。【解決手段】切替信号デコード手段３０により、切替信号１１により選択されている信号以外は出力が停止されているため、切替信号１１が変化するときの入力信号のローレベルを容易に検出することが可能となる。また、切替信号１１が変化するときには、切替信号比較手段４０により制御信号４１に遅延値を加算して停止制御信号４１ａが出力されるため、信号切替時のグリッヂノイズが、出力信号６３に伝播してしまうことが防止される。【選択図】      図１
2004363966.tif 000002
【特許請求の範囲】
【請求項１】
第１から第ｎまでの複数の入力信号から切替信号に対応する信号を選択して出力する信号切替装置において、
前記切替信号を同期化させる、第１段の切替信号同期化手段Ａ、及び第２段の切替信号同期化手段Ｂと、
前記切替信号同期化手段Ａにより同期化された切替信号を、切替信号変化ビット情報によりデコードする切替信号デコード手段と、
前記第１から第ｎまでの複数の入力信号から一つの信号を、前記切替信号デコード手段からのデコード信号、および前記切替信号同期化手段Ａにより同期化された切替信号、に応じて選択する入力信号選択手段と、
前記第１段、および第２段の切替信号同期化手段の出力より、切替信号の変化を検出し、停止期間の幅を持つ停止制御信号を出力する切替信号比較手段と、
前記切替信号比較手段から出力された停止制御信号により、前記入力信号選択手段からの信号を、装置出力信号として出力させるのを停止させる出力信号停止手段とを備えた、
ことを特徴とする信号切替装置。
【請求項２】
請求項１に記載の信号切替装置において、
前記切替信号比較手段より出力される停止制御信号は、前記切替信号比較手段によるその両入力が同一でないときの比較結果を、所要の遅延幅を持つものとしてなるものである、
ことを特徴とする信号切替装置。
【発明の詳細な説明】
【０００１】
【発明の属する技術分野】
本発明は、信号切替装置に関し、特に、複数の入力信号から切替信号に応じた信号を選択して出力する信号切替装置において、グリッヂノイズを発生させることなく信号切替を行うための回路に関するものである。
【０００２】
【従来の技術】
従来の選択回路を、図５に示す。図５において、６０ａ、６０ｂはそれぞれ選択対象となる入力信号であり、６１は切替信号であり、６２は制御回路用のクロックである。切替信号を保持するためのフリップフロップ１２は、制御回路用クロックで、入力信号６０ａおよび６０ｂのＮＯＲ結果である信号６５を、サンプリングし、信号６５がハイレベルのとき、すなわち入力信号６０ａおよび６０ｂが共にローレベルのときに、切替信号６１を取り込む構成となっている。よって、セレクタ６４のセレクト信号６５が変化するのは、入力信号６０ａおよび６０ｂが共にローレベルの時のみなので、セレクタ切替時のグリッヂノイズの発生を防止することができる（例えば特許文献１に記載）。
【０００３】
【特許文献１】
特開平３−１９１６１１号公報
【０００４】
【発明が解決しようとする課題】
このような従来の選択回路の回路構成では、選択対象となる入力信号が多くなると、全ての信号がローレベルとなる確率が少なくなる。入力信号の組み合わせによっては、全ての信号がローレベルとなる時刻が存在しないために、フリップフロップ１２が切替信号６１を取り込むことができなくなる、といった問題があった。
【０００５】
さらに、制御回路用クロック６３と、切替信号６１とは、非同期の関係で信号が変化しているため、切替信号６１が多ビットとなる構成では、過渡状態の切替信号を取り込んでしまう、という可能性があった。
【０００６】
この発明は、上記のような従来の問題点に鑑みてなされたもので、切替信号が変化するときの入力信号のローレベルを検出することが容易となり、また、切替信号が変化するときにも、信号切替時のグリッヂノイズが出力信号に伝播することがなく、かつ、制御回路用クロックの高速化をすることをも必要としない信号切替装置を提供することを目的としている。
【０００７】
【課題を解決するための手段】
前記課題を解決するために、本発明の請求項１にかかる信号切替装置は、第１から第ｎまでの複数の入力信号から切替信号に対応する信号を選択して出力する信号切替装置において、前記切替信号を同期化させる、第１段の切替信号同期化手段Ａ、及び第２段の切替信号同期化手段Ｂと、前記切替信号同期化手段Ａにより同期化された切替信号を、切替信号変化ビット情報によりデコードする切替信号デコード手段と、前記第１から第ｎまでの複数の入力信号から一つの信号を、前記切替信号デコード手段からのデコード信号、および前記切替信号同期化手段Ａにより同期化された切替信号、に応じて選択する入力信号選択手段と、前記第１段、および第２段の切替信号同期化手段の出力より、切替信号の変化を検出し、停止期間の幅を持つ停止制御信号を出力する切替信号比較手段と、前記切替信号比較手段から出力された停止制御信号により、前記入力信号選択手段からの信号を、装置出力信号として出力させるのを停止させる出力信号停止手段とを備えたことを特徴とするものである。
【０００８】
本発明の請求項２にかかる信号切替装置は、請求項１に記載の信号切替装置において、前記切替信号比較手段より出力される停止制御信号は、前記切替信号比較手段によるその両入力が同一でないときの比較結果を、所要の遅延幅を持つものとしてなるものであることを特徴とするものである。
【０００９】
本発明においては、前記切替信号デコード手段により切替信号変化ビット情報をデコードして、前記第１から第ｎまでの入力信号のうちから一つの入力信号のみを選択し、そのすべての入力信号の状態からすべてがローレベルとなる時刻を第１段の同期化手段Ａで検出し、すべての入力信号のローレベルが検出されると、切替信号が発行されて入力信号が切り替わり、その後、前記切替信号比較手段が、第１段の同期化回路Ａおよび第２段の同期化回路Ｂの両出力の切替信号の状態推移より停止制御信号を発行し、該停止制御信号により前記選択された信号が制御されてなる信号切替装置の出力信号が出力される。
【００１０】
前記構成により、選択されている信号以外は停止しているため、切替信号が変化するときの入力信号のローレベルを検出することが容易となる。また、切替信号が変化するときには、切替信号比較手段により停止制御信号が出力されるため、信号切替時のグリッヂノイズが出力信号に伝播することはない。よって、入力信号がローレベルであることの検出が容易となり、かつ、制御回路用クロックの高速化をすることをも必要としない信号切り替え装置を得ることができる。
【００１１】
【発明の実施の形態】
（実施の形態１）
以下、請求項１、及び２に対応する、本発明の実施の形態１による信号切替装置について説明する。
図１は、本発明の実施の形態１による信号切替装置のブロック図である。
図１において、第１段の同期化手段Ａ１０は、切替信号６１を制御回路用クロックＣＫに同期させた、同期化Ａ後切替信号１１を出力する。同期化Ａ後切替信号１１は、切替信号デコード手段３０によってデコードされ、デコード信号３１を入力信号選択手段５０へ出力する。デコード信号３１は、選択対象となる入力信号６０ａ、入力信号６０ｂ、入力信号６０ｃ、入力信号６０ｄのいずれかを選択した信号以外をローレベルとし、前記入力信号は、同期化Ａ後切替信号１１によって選択されて選択後信号５２として、出力信号停止手段６０へ出力される。
【００１２】
第２段の同期化手段Ｂ２０は、選択後信号５２の立ち下りエッヂに同期した同期化Ｂ後切替信号２１を出力する。切替信号比較手段４０により、同期化Ａ後切替信号１１の状態と、同期化Ｂ後切替信号２１の状態とから、制御信号４１を生成し、さらにこれに遅延値を付加して停止制御信号４１ａを生成し、これが出力信号停止手段６０に出力される。出力信号停止手段６０は、選択後信号５２と、停止制御信号４１ａとにより、出力信号６３を出力する。
【００１３】
図１に示す本発明の実施の形態１を具体化した回路図を図２に、図２に示す比較回路４０の各状態における出力値４１を図３に、図２に示す回路のタイミングチャートを図４に示す。
【００１４】
図２において、同期化手段Ａ１０のフリップフロップ１２は、データ入力として切替信号６１が、イネーブル制御入力として切替制御信号６５が入力され、出力信号は同期化Ａ後切替信号１１となる。フリップフロップ１２のクロック入力には、制御回路用クロックＣＫ６２が接続され、制御回路用クロックＣＫ６２の立ち上がりエッジに同期し、イネーブル制御である切替制御信号６５がローレベルのとき動作する。
【００１５】
同期化Ａ後切替信号１１は、切替信号デコード手段３０でデコードされ、デコード信号３１は、入力信号選択手段５０で複数の入力信号６０ａ〜６０ｄを制御する。すなわち、該入力信号選択手段５０では、切替信号６１から作られる同期化Ａ後切替信号１１により、セレクタ５４，５５，５６を制御して、入力信号６０ａ〜６０ｄのうちの選択された信号のみが出力され、前記入力信号のうちのそれ以外の入力信号は、すべてローレベルとなる。
【００１６】
上記同期化手段Ｂ２０を構成するフリップフロップ２２には、データ入力として、同期化Ａ後切替信号１１が入力され、該フリップフロップ２２は、選択後信号５２の立下りエッジに同期して、同期化Ｂ後切替信号２１を出力する。
【００１７】
切替信号比較手段４０は、同期化Ａ後切替信号１１と、同期化Ｂ後切替信号２１の値が一致していればハイレベル、異なっていればローレベルを、制御信号４１として出力し、さらに、前記切替信号比較手段４０で検出された制御信号４１、即ちその両入力が同一でないときの比較結果を、所要の遅延幅を持つものとしてなる停止制御信号４１を作成する。出力信号停止手段６０は、ＡＮＤ回路５１によって構成され、前記切替信号比較手段４０よりの停止制御信号４１により、上記入力信号選択手段５０で選択された選択後信号５２が、本信号切替装置の出力信号として出力されるのを停止させる。この結果、切替信号６１（１１）が変化するときには、切替信号比較手段４０により停止制御信号４１ａが出力されて、選択後信号５２が、本装置の出力信号として出力されることが停止されるため、信号切替時のグリッヂノイズが出力信号に伝播することはない。よって、入力信号がローレベルであることの検出が容易となり、かつ、制御回路用クロックの高速化をすることをも必要としない信号切り替え装置を得ることができる。
【００１８】
このような本実施の形態１による信号切替装置では、複数の入力信号６０ａ〜６０ｄから一つの信号を、切替信号デコード手段３０からのデコード信号３１、および切替信号同期化手段Ａ１０により同期化された切替信号１１、に応じて選択する入力信号選択手段５０と、前記第１段および第２段の切替信号同期化手段１０および２０の出力より切替信号の変化を検出し、制御信号４１を、さらにはこれに遅延値を加算した停止制御信号４１ａを発行する切替信号比較手段４０と、該切替信号比較手段４０よりの停止制御信号４１ａにより、前記入力信号選択手段５０からの出力を、本信号切替装置の出力信号として出力させるのを停止させる出力信号停止手段６０とを備えた構成としたので、選択されている信号以外は出力が停止されているため、切替信号が変化するときの入力信号のローレベルを容易に検出することが可能となり、また、切替信号が変化するときには切替信号比較手段により停止制御信号が出力されるため、信号切替時のグリッヂノイズが出力信号に伝播することもない。よって、入力信号がローレベルであることの検出が容易となり、さらに、制御回路用クロックの高速化をすることを必要としない信号切替装置を得ることができる。
【００１９】
なお、本発明は、上記実施の形態の構成に限定されるものではなく、あらゆる多入力多出力選択回路の構成に対して、選択回路制御手段の構成を変更することで対応可能となる。
【００２０】
【発明の効果】
以上のように、本発明にかかる信号切替回路によれば、第１から第ｎまでの複数の入力信号から切替信号に対応する信号を選択して出力する信号切替装置において、前記切替信号を同期化させる、第１段の切替信号同期化手段Ａ、及び第２段の切替信号同期化手段Ｂと、前記切替信号同期化手段Ａにより同期化された切替信号を、切替信号変化ビット情報によりデコードする切替信号デコード手段と、前記第１から第ｎまでの複数の入力信号から一つの信号を、前記切替信号デコード手段からのデコード信号、および前記切替信号同期化手段Ａにより同期化された切替信号、に応じて選択する入力信号選択手段と、前記第１段および第２段の切替信号同期化手段の出力より、切替信号の変化を検出し、、停止期間の幅を持つ停止制御信号を出力する切替信号比較手段と、前記切替信号比較手段から出力された停止制御信号により、前記入力信号選択手段からの信号を、装置出力信号として出力させるのを停止させる出力信号停止手段とを備えたものとしたので、切替信号デコード手段、及び、入力信号選択手段により、複数の入力信号より一つの入力信号のみが選択出力されているとき、選択されている信号以外の出力が停止されることにより、切替信号が変化するときの入力信号のローレベルの検出を容易とすることができる。また、切替信号変化時には、切替信号比較手段により出力信号の出力が停止制御されるため、グリッヂノイズが出力信号に伝播することを防止することができる。その結果、入力信号がローレベルであることの検出が容易であり、かつ、制御回路用クロックの高速化をすることをも必要としない信号切り替え装置を得ることができる。
【図面の簡単な説明】
【図１】本発明の実施の形態１による信号切替装置のブロック図
【図２】前記実施の形態１の信号切替装置を具体化した回路の回路図
【図３】図２に示す具体化した回路における比較回路の各状態における出力値４１を示す表を示す図
【図４】図２に示す具体化した回路のタイミングチャート
【図５】従来の信号切替装置の回路図
【符号の説明】
１０    同期化手段Ａ、
１１    同期化Ａ後切替信号
２０    同期化手段Ｂ、
２１    同期化Ｂ後切替信号
３０    切替信号デコード手段、
３１    デコード信号
４０    切替信号比較手段、
４１    制御信号（停止制御信号）
５０    入力信号選択手段、
５２    選択後信号
６０    出力信号停止手段
６０ａ、６０ｂ、６０ｃ、６０ｄ    入力信号
６１    切替信号
６３    出力信号
６５    切替制御信号
【図１】
2004363966.tif 000003
【図２】
2004363966.tif 000004
【図３】
2004363966.tif 000005
【図４】
2004363966.tif 000006
【図５】
2004363966.tif 000007